(57)【特許請求の範囲】
【請求項１】
カムセツト及び糸ガイドを持つ２針床横編機において、縁の所で互いに結合される２つの編物部分から製造される筒状編物の編目を右縁で増加する方法において、次の段階を実施する
前部針床上でキヤリジ方向において左から右へコースを形成し、続いて後部針床上でキヤリジ方向において右から左へコースを形成し、
前部針床上でキヤリジ方向において左から右へコースを形成し、前部針床の今まで空であつた縁針（Ｂ８）上でタツクループを形成し、
後部針床上でキヤリジ方向において右から左へコースを形成し、
第１のカムセツトによりタツクループ（Ｂ８）を後部針床の空の縁針（ｂ８）へ移し、
前部針床上で別のカムセツトによりキヤリジ方向において左から右へコースを形成し、
縁針（ｂ８）上のタツクループを編みながらキヤリジ方向において右から左へコースを形成し、
前部針床上でキヤリジ方向において左から右へコースを形成し、続いて後部針床上で逆のキヤリジ方向にコースを形成し、
前部針床上でキヤリジ方向において左から右へコースを形成し、後部針床の今まで空であつた縁針（ａ９）上でタツクループを形成し、
縁針（ａ９）上のタツクループを編むことなしに後部針床上で逆のキヤリジ方向にコースを形成し、
第１のカムセツトにより、形成されているタツクループ（ａ９）を後部針床から前部針床の縁針（Ａ９）へ移し、
別のカムセツトにより、縁針（Ａ９）上のタツクループを編みながら前部針床上でキヤリジ方向において左から右へコースを形成し、
後部針床上でキヤリジ方向において右から左へコースを形成し、それから前部針床上で逆のキヤリジ方向にコースを形成し、それから後部針床上でキヤリジ方向において右から左へコースを形成し、
編物の所望の長さ及び形状が得られるまで、以上の段階を反覆することを特徴とする、２針床横編機上で製造される筒状編物の編目増加方法。
【請求項２】
カムセツト及び糸ガイドを持つ２針床横編機において、縁の所で互いに結合される２つの編物部分から製造される筒状編物の編目を左縁で増加する方法において、次の段階を実施する
前部針床上でキヤリジ方向において左から右へコースを形成し、続いて後部針床上で逆のキヤリジ方向へコースを形成し、
前部針床上でキヤリジ方向において左から右へコースを形成し、
後部針床上で逆のキヤリジ方向へコースを形成し、後部針床の今まで空であつた縁針（ａ３）においてタツクループを形成し、
前部針床上でキヤリジ方向において左から右へコースを形成し、
第１のカムセツトによりタツクループ（ａ３）を後部針床から前部針床の空の縁針（Ａ３）へ移し、後部針床上で別のカムセツトによりキヤリジ方向において右から左へコースを形成し、
縁針（Ａ３）上のタツクループを編みながら前部針床上でキヤリジ方向において左から右へコースを形成し、
後部針床上でキヤリジ方向において右から左へコースを形成し、それから前部針床上で左から右へコースを形成し、
後部針床上でキヤリジ方向において右から左へコースを形成し、前部針床の今まで空であつた縁針（Ｂ２）によりタツクループを形成し、
前部針床上で逆のキヤリジ方向にコースを形成し、
第１のカムセツトにより、タツクループ（Ｂ２）を前部針床から後部針床の空の縁針（ｂ２）へ移し、続いて右から左へのキヤリジ方向において別のカムセツトにより、縁針（ｂ２）上のタツクループを編みながら後部針床上でコースを形成し、
前部針床上でキヤリジ方向において左から右へコースを形成し、続いて後部針床上で逆のキヤリジ方向にコースを形成し、
編物の所望の長さ及び形状が得られるまで、以上の段階を反覆することを特徴とする、２針床横編機上で製造される筒状編物の編目増加方法。
【請求項３】
カムセツト及び糸ガイドを持つ２針床横編機において、縁の所で互いに結合される２つの編物部分から製造される筒状編物の編目を右縁で増加する方法において、次の段階を実施する
前部針床上でキヤリジ方向において左から右へコースを形成し、
後部針床上でキヤリジ方向において右から左へコースを形成し、
前部針床上でキヤリジ方向において左から右へコースを形成し、後部針床上で編物の右縁の今まで空であつた縁針（ｂ８）上でタツクループを形成し、
後部針床上でキヤリジ方向において右から左へ縁針（ｂ８）上のタツクループを編むことなしにコースを形成し、それから前部針床上でキヤリジ方向において左から右へコースを形成し、
縁針（ｂ８）上のタツクループを編みながら後部針床上でキヤリジ方向において右から左へコースを形成し、
前部針床上でキヤリジ方向において左から右へコースを形成し、それから後部針床上で逆のキヤリジ方向にコースを形成し、それから再び前部針床上で左から右へコースを形成し、
前部針床の今まで空であつた縁針（Ａ９）上にタツクループを形成し、後部針床上でキヤリジ方向において右から左へコースを形成し、
縁針（Ａ９）上のタツクループを編みながら前部針床上でキヤリジ方向において左から右へコースを形成し、
後部針床上でキヤリジ方向において右から左へコースを形成し、
編物の所望の長さ及び形状が得られるまで、以上の段階を反覆することを特徴とする、２針床横編機上で製造される筒状編物の編目増加方法。
【請求項４】
カムセツト及び糸ガイドを持つ２針床横編機において、縁の所で互いに結合される２つの編物部分から製造される筒状編物の編目を左縁で増加する方法において、次の段階を実施する
前部針床上でキヤリジ方向において左から右へコースを形成し、
後部針床上でキヤリジ方向において右から左へコースを形成し、前部針床上で編物の左端にあって今まで空であつた縁針（Ａ３）上でタツクループを形成し、
前部針床上で縁針（Ａ３）上のタツクループを編むことなしにキヤリジ方向において左から右へコースを形成し、
後部針床上で逆のキヤリジ方向にコースを形成し、
前部針床上で縁針（Ａ３）上のタツクループを編みながらキヤリジ方向において左から右へコースを形成し、
後部針床上でキヤリジ方向において右から左へコースを形成し、それから前部針床上でキヤリジ方向において左から右へコースを形成し、それから再び後部針床上でキヤリジ方向において右から左へコースを形成し、
後部針床の今まで空であつた縁針（ｂ２）上でタツクループを形成し、続いて前部針床上でキヤリジ方向において左から右へコースを形成し、
後部針床上で縁針（ｂ２）上のタツクループを編みながらキヤリジ方向において右から左へコースを形成し、
前部針床上でキヤリジ方向において左から右へコースを形成し、続いて後部針床上でキヤリジ方向において右から左へコースを形成し、
編物の所望の長さ及び形状が得られるまで、以上の段階を反覆することを特徴とする、２針床横編機上で製造される筒状編物の編目増加方法。
【請求項５】
カムセツト及び糸ガイドを持つ２針床横編機において、縁の所で互いに結合される２つの編物部分から製造される筒状編物の編目を右縁で増加する方法において、
キヤリジ方向において右から左へ先行するカムセツト及び第１の糸ガイド（ＦＦ３）により、後部針床の今まで空であつた縁針（ｂ８）上でタツクループを形成し、前部針床上でコースを形成し、
それから後続のカムセツト及び第２の糸ガイド（ＦＦ２）により前部針床上で同じ方向に別のコースを形成し、
続いて逆のキヤリジ方向において、先行するカムセツト及び第１の糸ガイド（ＦＦ３）により、後部針床上で縁針（ｂ８）上のタツクループを編みながらコースを形成し、後続のカムセツト及び第２の糸ガイド（ＦＦ２）により、縁針（ｂ８）上のタツクループを編むことなしに後部針床上で別のコースを形成し、
それからキヤリジ方向において右から左へ前部針床上で両方のカムセツトによりそれぞれ１つのコースを形成し、逆のキヤリジ方向において後部針床上でそれぞれ１つのコースを形成し、その際後続のカムセツト及び第２の糸ガイドにより前部針床の今まで空であつた縁針（Ａ９）上でタツクループを形成し、
続いてキヤリジ方向において右から左へ前部針床上で第１の糸ガイド（ＦＦ３）及び第２の糸ガイド（ＦＦ２）を使用して先行するカムセツト及び後続のカムセツトによりそれぞれ１つのコースを形成し、
逆のキヤリジ方向において後部針床上で先行するカムセツト及び第１の糸ガイド（ＦＦ３）によりコースを形成し、後部針床上で後続のカムセツト及び第２の糸ガイド（ＦＦ２）によりコースが形成される前に、前部針床の縁針（Ａ９）上のタツクループを編み、
編物の所望の長さ及び形状が得られるまで、以上の段階を反覆することを特徴とする、２針床横編機上で製造される筒状編物の編目増加方法。
【請求項６】
カムセツト及び糸ガイドを持つ２針床横編機において、縁の所で互いに結合される２つの編物部分から製造される筒状編物の編目を左縁で増加する方法において、
キヤリジ方向において右から左へ先行するカムセツト及び第１の糸ガイド（ＦＦ３）により、前部針床上でコースを形成し、後部針床の今まで空であつた縁針（ｂ２）上でタツクループを形成し、
続いて後続のカムセツトにより前部針床上で別のコースを形成し、
それから逆のキヤリジ方向において先行するカムセツトにより、それから後続のカムセツトにより、後部針床上でそれぞれ１つのコースを形成し、その際再び右から左へのキヤリジ方向において先行するカムセツト及び第１の糸ガイド（ＦＦ３）により前部針床上でコースが形成される前に、縁針（ｂ２）上のタツクループを編まず、
それから後部針床の縁針上のタツクループを編み、前部針床の今まで空であつた縁針（Ａ２）上でタツクループを形成し、
所望の長さ及び形状の編物が得られるまで、以上の段階を反覆することを特徴とする、２針床横編機上で製造される筒状編物の編目増加方法。
【請求項７】
請求項１又は３又は５に記載の方法と請求項又は４又は６に記載の方法とを同時に使用することにより、縁の所で互いに結合される２つの編物部分から２針床横編機上で製造される筒状編物の編目を左縁及び右縁で増加する方法。
【発明の詳細な説明】
【０００１】
【産業上の利用分野】
本発明は、縁の所で互いに結合される２つの編物部分から２針床横編機上で製造される筒状編物の編目を一方又は両方の側縁で増加する方法に関する。
【０００２】
【従来の技術】
平編機上で２つの編物部分の縁結合による筒状編物の製造は、特にプルオーバその他の衣服のようないわゆる完全編物を製造するために有利である。これらの完全編物は殆ど着用できるように編機から出る。継ぎ目をもはや全く閉じる必要がない。これらの編物では、例えば編物の袖及び胴部分を筒状編物として平編機上で製造することが必要である。これは平編機の前部針床及び後部針床上で互いに移される２つの編物部分の縁結合によつて行うことができる。製造すべき編物の仕立てに応じて、一般に一方又は両方の側縁において筒状編物の編目増加が必要である。
【０００３】
【発明が解決しようとする課題】
衣服においては、煩わしい穴なしに密な編物像が得られると共に、両方の編物部分の縁結合部が弾性を維持しているように、編物の縁範囲における編目増加が行われねばならない。
【０００４】
【課題を解決するための手段】
これらの要求を満たすため、本発明は両方の側縁の１つにおいて筒状編物の編目を増加するための原理的に異なる３つの方法を提案し、これらの方法の組合わせにより編物の両側で編目を増加することも可能にする。本発明による方法は特に衣服の製造に適しているが、この適用例に限定されない。工業的使用のための筒状編物においても、本発明の方法による編目増加を行うことができる。
【０００５】
請求項１及び２は右縁又は左縁における筒状編物の編目増加の第１の可能性に関し、ここでは編成区域即ちカムセツト及び糸ガイドを使用して、筒状編物の縁範囲におけるタツクループの目移しにより編目増加が行われる。請求項３及び４は、カムセツト及び糸ガイドのみによつて行うことができる編目増加の第２の方法に関し、この方法では編目又はタツクループの目移しは必要でない。請求項５及び６は、少なくとも２つのカムセツトを使用して行われる筒状編物の左縁又は右縁における編目の増加に関し、特に高い生産性が得られる。請求項７によれば、両側で編目を増加される編物を得るために、左縁における編目増加方法を右縁における編目増加方法と組合わすことができる。結合部は非常に密であるが、弾性的であり、従つてこれらの方法を衣服の製造に使用すると、これらの衣服の高度の着心地が保証される。
【０００６】
【実施例】
本発明による方法を図面に基いて以下に説明する。
【０００７】
図１は、それぞれ筒状編物として製造されている胴部分１２と２つの袖１３及び１４とを持つプルオーパ１０を示している。胴部分１２も袖１３及び１４も編目増加範囲Ａ，Ｂを持ち、右縁の編目増加範囲はそれぞれＡで、また左縁の編目増加範囲はＢで示されている。
【０００８】
図２ないし４は、例えば左袖の製造のために必要であるように、右縁における筒状編物の編目を増加する第１の方法の編目推移を示している。列１においてまずコースが前部針床上で形成され、それから列２においてコースが後部針床上で形成され、それから列３でキヤリジ方向において左から右へ前部針床上でコースが形成され、前部針床の今まで空であつた縁針Ｂ８上にタツクループが形成される。列４において後部針床上でコースが形成され、続いて列５でキヤリジ方向において左から右へ第１のカムセツトにより、前部針床の縁針Ｂ８からタツクループが後部針床の縁針Ｂ８へ移される。列６で左から右への同じキヤリジ方向に、別のカムセツトにより前部針床上でコースが形成される。それから列７でキヤリジ方向において右から左へ、タツクループと縁針ｂ８の共同作用で、後部針床上でコースが形成される。続いて列８及び９において、前部針床及び後部針床上でそれぞれコースが形成され、それから列１０でキヤリジ方向において左から右へ、まず前部針床上でコースが形成され、それから後部針床の今まで空であった縁針ａ９上でタツクループが形成される。続いて列１１において縁針ａ９との共同作用なしに後部針床上でコースが形成され、それから列１２でキヤリジ方向において左から右へ第１のカムセツトにより、タツクループが後部針床の縁針ａ９から前部針床の今まで空であつた縁針Ａ９へ移され、列１３で別のカムセツトにより、縁針Ａ９との共同作用により前部針床上でコースが形成される。列１４，１５及び１６では、再び交互にコースが前部針床及び後部針床上で形成される。この方法によっても、針床の振りなしに得られる密な縁結合部を持つ編目増加編物が生ずる。
【０００９】
図５ないし７は、図２ないし４に示したのと類似な方法により左縁における筒状編物の編目増加を示している。列１ないし３においてまず交互にコースが前部針床及び後部針床上で形成され、それから列４でキヤリジ方向において右から左へ後部針床上でコースが形成され、袖ａ３の左縁において今まで空であつた縁針によりタツクループが形成される。列５でキヤリジ方向において左から右へ前部針床上でコースが形成され、続いてキヤリジ方向において右から左へ第１のカムセツトにより、タツクループが後部針床の縁針Ａ３から前部針床の今まで空であつた縁針Ａ３へ移され、別のカムセツトにより後部針床上でコースが形成される。列８ないし１０で再び交互にコースが前部針床及び後部針床上で編成され、それから列１１においてキヤリジ方向において右から左へ後部針床上でコースが形成され、前部針床の今まで空であつた縁針Ｂ２によりタツクループが形成される。列１２において前部針床上でキヤリジ方向において左から右へ縁針Ｂ２と共同作用なしにコースが形成される。列１３においてキヤリジ方向において右から左へ第１のカムセツトにより、まず前部針床の縁針Ｂ２から後部針床の縁針ｂ２へタツクループの目移しが行われ、それから列１４で同じキヤリジ方向において別のカムセツトにより、タツクループと縁針ｂ２の共同作用で後部針床上でコースが形成される。列１５及び１６において、前部針床及び後部針床上で更にコースがそれぞれ形成される。
【００１０】
図８及び９は、閉じている縁を持つ筒状編物の右側例えばプルオーバの左の袖において編目を増加する第２の方法を示している。列１においてキヤリジ方向において左から右へ前部針床上でコースが形成され、続いてキヤリジ方向において右から左へ後部針床上でコースが形成され、それから列３において再び前部針床上でコースが形成され、後部針床の今まで空であつた縁針ｂ８上でタツクループが形成される。続いて列４においてキヤリジ方向において右から左へ後部針床上でコースが形成され、その際タツクループと縁針ｂ８は共同作用しない。列５において再びキヤリジ方向において左から右へ前部針床上でコースが形成され、続いて列６においてキヤリジ方向において右から左へ後部針床上でコースが形成され、その際タツクループと縁針ｂ８が共同作用し、即ち後部針床上の編物は編目幅だけ増加される。次の３つの列７ないし９において前部針床及び後部針床上で交互にコースが形成され、それから列１０においてキヤリジ方向において右から左へまず前部針床の今まで空であつた縁針Ａ９上でタツクループが形成され、続いて後部針床上でコースが形成される。列１１においてキヤリジ方向において左から右へ前部針床上でコースが形成され、その際タツクループと縁針Ａ９が共同作用する。続いて列１２においてコースが後部針床上で形成される。今や前部針床上の編物も同様に１つの編目だけ増加される。図示した方法段階は、編物が所望の長さ及び形状に達するまで、反覆することができる。この編成方法の利点は、編物に継ぎ目が必要でないことである。更に図示したような縁結合部は非常に密であり、即ち結合部の範囲で編物に美しくない不均一性が見られないことである。このような編目増加の別の利点は、針床振り及び目移しが不要なことであり、それによりこのような製品の編成の際編機の動作の信頼性が非常に高いことである。
【００１１】
図１０及び１１は、例えばプルオーバの右袖のために必要であるように、左縁で筒状編物の編目を増加するための図８及び９に類似の方法を示している。まず列１においてキヤリジ方向において左から右へ前部針床上でコースが形成される。続いて列２において後部針床上でコースが形成され、前部針床の今まで空であつた縁針Ａ３上でタツクループが形成される。列３において再び前部針床上でコースが形成され、その際縁針Ａ３は共同作用しない。列４において後部針床上でコースが形成され、続いてキヤリジ方向において左から右へ後部針床上で再びコースが形成され、今やタツクループと縁針Ａ３が共同作用する。こうしてコース上で編物が１つの編目幅だけ増加される。それから列６，７及び８において再び後部針床及び前部針床上でコースが交互に形成され、続いて前部針床上でコースが形成される。列１０においてキヤリジ方向において右から左へ後部針床上でコースが形成される。列１０においてキヤリジ方向において右から左へ後部針床上でコースが形成され、その際タツクループと縁針ｂ２が共同作用する。続いて列１１及び１２において前部針床及び後部針床上でコースがそれぞれ形成される。今や後部針床の左側でも編物が１つの編目幅だけ増加される。この方法は、編物の所望の長さ及び形状が得られるまで反覆することができる。
【００１２】
図１２及び１３は、少なくとも２つのカムセツトを使用して、閉じた側縁を持つプルオーバの左袖を製造するため、右側で編目を増加される筒状編物の第３の製造方法を示している。列１においてキヤリジ方向において右から左へ先行するカムセツト及び第１の糸ガイドＦＦ３により、後部針床の今まで空であつた縁針ｂ８上でタツクループが形成され、続いて前部針床の針Ａ７ないしＡ１によりコースが形成される。列２において同じキヤリジ方向へ後続のカムセツト及び第２の糸ガイドＦＦ２により、前部針床の針Ａ７ないしＡ１でコースが編成される。次の列３において逆のキヤリジ方向へ第１の糸ガイドＦＦ３及び先行するカムセツトにより、後部針床の針ｂ１ないしｂ８でコースが形成され、列４において後続のカムセツト及び第２の糸ガイドＦＦ２により後部針床の針ｂ１ないしｂ７でコースが形成される。列５及び６において再び逆のキヤリジ方向へ、先行する第１の糸ガイドＦＦ３及び後続の第２の糸ガイドＦＦ２及び前部針床の針Ａ８ないしＡ１によりコースが形成される。列７において左から右へ先行する第１の糸ガイドＦＦ３により、後部針床の針ｂ１ないしｂ８がコースを形成する。列８において同じキヤリジ方向へ後続のカムセツト及び第２の糸ガイドＦＦ２及び後部針床の針ｂ１ないしｂ７によりコースが形成され、前部針床の今まで空であつた縁針Ａ９上でタツクループが形成される。次の両方の列９及び１０においてキヤリジの反転後、先行するカムセツト及び第１の糸ガイドＦＦ３と後続のカムセツト及び第２の糸ガイドＦＦ２とにより、前部針床の針Ａ８ないしＡ１でそれぞれコースが形成される。それに続く列１１においてキヤリジ方向において左から右へ、先行するカムセツト及び第１の糸ガイドＦＦ３及び後部針床の針ｂ１ないしｂ８によりコースが形成され、前部針床の縁針Ａ９により１つの編目が形成される。続いて列１２において同じキヤリジ方向へ後続のカムセツト及び第２の糸ガイドＦＦ２及び後部針床の針ｂ１ないしｂ８によりコースが形成される。続いて編物の所望の長さ及び形状が得られるまで、列１ないし１２を反覆することができる。このような編目結合部は非常に密であり、即ち縁結合部の範囲における美しくない穴は生じない。相互の針床振りは不要である。更に少なくとも２つのカムセツトによって、各キヤリジ方向に少なくとも２つのコースを形成できるので、高い生産性が得られる。
【００１３】
図１４及び１５には、図１２及び１３と同じように左縁における筒状編物の編目増加が示されている。列１においてキヤリジ方向において右から左へ先行するカムセツト及び第２の糸ガイドＦＦ２及び前部針床の針Ａ１０ないしＡ３によりコースが形成される。列２において同じキヤリジ方向へ後続のカムセツト及び第１の糸ガイドＦＦ３及び前部針床の針Ａ１０ないしＡ４によりコースが形成される。列３において逆のキヤリジ方向へまず先行するカムセツト及び第２の糸ガイドＦＦ２により、続いて列４において後続のカムセツト及び第１の糸ガイドＦＦ３により、後部針床の針ｂ３ないしｂ１０でコースがそれぞれ形成される。列５においてキヤリジ方向において左から右へ先行するカムセツト及び第２の糸ガイドＦＦ２及び前部針床の針Ａ１０ないしＡ３によりコースが形成され、後部針床の今まで空であつた縁針ｂ２でタツクループが形成される。列６において同じキヤリジ方向へ後続のカムセツト及び第１の糸ガイドＦＦ３及び前部針床の針Ａ１０ないしＡ３によりコースが形成される。列７において逆のキヤリジ方向へまず先行するカムセツト及び第２の糸ガイドＦＦ２により、それから列８において後続のカムセツト及び第１の糸ガイドＦＦ３により、後部針床の針ｂ３ないしｂ１０上でそれぞれコースが形成される。続いて列９においてキヤリジ方向において右から左へ先行するカムセツト及び第２の糸ガイドＦＦ２及び前部針床の針Ａ１０ないしＡ３及び後部針床の針ｂ２によりコースが形成され、前部針床の今まで空であつた縁針Ａ２上でタツクループが形成される。列１０において同じキヤリジ方向へ後続のカムセツト及び第１の糸ガイドＦＦ３及び前部針床の針Ａ１０ないしＡ３によりコースが形成される。列１１において逆のキヤリジ方向へまず先行するカムセツト及び第２の糸ガイドＦＦ２により、それから後続のカムセツト及び第１の糸ガイドＦＦ３により、後部針床の針Ｂ２ないしＢ１０上でそれぞれコースが形成される。編物の所望の長さ及び形状が得られるまで、この過程を反覆することができる。
【図面の簡単な説明】
【図１】胴部分及び袖に編目増加範囲を持つプルオーバの概略正面図である。
【図２】第１の方法による筒状編物の右縁における編目増加を示す編目推移の第１の部分の概略図である。
【図３】第１の方法による筒状編物の右縁における編目増加を示す編目推移の第２の部分の概略図である。
【図４】第１の方法による筒状編物の右縁における編目増加を示す編目推移の第３の部分の概略図である。
【図５】第１の方法による筒状編物の左縁における編目増加を示す編目推移の第１の部分の概略図である。
【図６】第１の方法による筒状編物の左縁における編目増加を示す編目推移の第２の部分の概略図である。
【図７】第１の方法による筒状編物の左縁における編目増加を示す編目推移の第３の部分の概略図である。
【図８】第２の方法による筒状編物の右縁における編目増加を示す編目推移の第１の部分の概略図である。
【図９】第２の方法による筒状編物の右縁における編目増加を示す編目推移の第２の部分の概略図である。
【図１０】第２の方法による筒状編物の左縁における編目増加を示す編目推移の第１の部分の概略図である。
【図１１】第２の方法による筒状編物の左縁における編目増加を示す編目推移の第２の部分の概略図である。
【図１２】第３の方法による筒状編物の右縁における編目増加を示す編目推移の第１の部分の概略図である。
【図１３】第３の方法による筒状編物の右縁における編目増加を示す編目推移の第２の部分の概略図である。
【図１４】第３の方法による筒状編物の左縁における編目増加を示す編目推移の第１の部分の概略図である。
【図１５】第３の方法による筒状編物の左縁における編目増加を示す編目推移の第２の部分の概略図である。
【符号の説明】
１〜１５                    列
Ａ１〜Ａ１０，Ｂ１〜Ｂ１０  前部針床の針
ａ１〜ａ１０，ｂ１〜ｂ１０  後部針床の針
【図１】
0003783186.tif 000002
【図２】
0003783186.tif 000003
【図３】
0003783186.tif 000004
【図４】
0003783186.tif 000005
【図５】
0003783186.tif 000006
【図６】
0003783186.tif 000007
【図７】
0003783186.tif 000008
【図８】
0003783186.tif 000009
【図９】
0003783186.tif 000010
【図１０】
0003783186.tif 000011
【図１１】
0003783186.tif 000012
【図１２】
0003783186.tif 000013
【図１３】
0003783186.tif 000014
【図１４】
0003783186.tif 000015
【図１５】
0003783186.tif 000016